(57)【要約】      （修正有）【課題】筐体に対してスライド可能な引き出し部を筐体から容易に取り外すことができる光配線ユニットを提供する。【解決手段】光コネクタ接続部を備える引き出し部と、引き出し部を収容する筐体と、引き出し部を筐体に対してスライドさせるスライド機構５０とを有する光配線ユニットであって、引き出し部と、スライド機構との間に設けられる連結機構６０をさらに有し、連結機構は、スライド機構側に設けられ、第１ラッチ部６３と、第１ガイド部６４とを備える第１連結部６１と、引き出し部側に設けられ、第１ラッチ部とラッチする第２ラッチ部６６と、第１ガイド部にガイドされる第２ガイド部６８とを備える第２連結部とを備えることを特徴とする光配線ユニットである。【選択図】図４
2019139183.tif 000002
【特許請求の範囲】
【請求項１】
光コネクタ接続部を備える引き出し部と、前記引き出し部を収容する筐体と、前記引き出し部を前記筐体に対してスライドさせるスライド機構とを有する光配線ユニットであって、
前記引き出し部と、前記スライド機構との間に設けられる連結機構をさらに有し、
前記連結機構は、
前記スライド機構側に設けられ、第１ラッチ部と、第１ガイド部とを備える第１連結部と、
前記引き出し部側に設けられ、前記第１ラッチ部とラッチする第２ラッチ部と、前記第１ガイド部にガイドされる第２ガイド部とを備える第２連結部と
を備える
ことを特徴とする光配線ユニット。
【請求項２】
請求項１に記載の光配線ユニットであって、
前記第１ラッチ部は、ラッチ孔部を備え、
前記第２ラッチ部は、前記ラッチ孔に係止するラッチ突起部を備える
ことを特徴とする光配線ユニット。
【請求項３】
請求項２に記載の光配線ユニットであって、
前記第２ラッチ部は、前記ラッチ孔に対する前記ラッチ突起部の係止を解除するラッチ解除爪を備える
ことを特徴とする光配線ユニット。
【請求項４】
請求項１に記載の光配線ユニットであって、
前記第１ガイド部は、ガイド溝部を備え、
前記第２ガイド部は、前記ガイド溝に嵌合するガイドプレート部を備える
ことを特徴とする光配線ユニット。
【請求項５】
請求項４に記載の光配線ユニットであって、
前記ガイドプレート部の端部は、テーパ状に形成されている
ことを特徴とする光配線ユニット。
【請求項６】
請求項４又は５に記載の光配線ユニットであって、
前記第１連結部は、移動規制部を備え、
前記第２連結部は、移動規制部に係止される移動規制突起を備える
ことを特徴とする光配線ユニット。
【請求項７】
光コネクタ接続部を備える引き出し部と、前記引き出し部を収容する筐体と、前記引き出し部を前記筐体に対してスライドさせるスライド機構とを有する光配線ユニットの製造方法であって、
前記引き出し部と、前記スライド機構との間に設けられる連結機構であって、
第１ラッチ部と、第１ガイド部とを備える第１連結部と、前記第１ラッチ部とラッチする第２ラッチ部と、前記第１ガイド部にガイドされる第２ガイド部とを備える第２連結部とを備える連結機構を準備すること、
前記筐体に前記スライド機構を取り付けること、
前記引き出し部に取り付けられた前記第２連結部を、前記スライド機構に取り付けられた前記第１連結部に対して取り付けることで、前記引き出し部を前記スライド機構に取り付けること
を特徴とする光配線ユニットの製造方法。
【請求項８】
請求項７に記載の光配線ユニットの製造方法であって、
前記第１ラッチ部は、ラッチ孔部を備え、前記第２ラッチ部は、ラッチ突起部を備え、
前記ラッチ突起部が、前記ラッチ孔に係止することで、前記第２ラッチが前記第１ラッチ部に対してラッチすること
を特徴とする光配線ユニットの製造方法。
【発明の詳細な説明】
【技術分野】
【０００１】
本発明は、光配線ユニット及び光配線ユニットの製造方法に関する。
【背景技術】
【０００２】
光接続箱や光配線箱等を構成する光配線ユニットとして、複数の光部品収納トレイを筐体内に挿入して収容するものが知られている。このような光配線ユニットに関して、例えば、特許文献１には、光部品収納トレイ（図１及び図２に示す光ファイバ用トレイ４）が筐体（図１及び図２に示すトレイ収容棚５）に対してスライド移動できるように支持された光配線ユニットが開示されている。
【先行技術文献】
【特許文献】
【０００３】
【特許文献１】特開２００５−１５７１９５号公報
【発明の概要】
【発明が解決しようとする課題】
【０００４】
特許文献１に記載されている光配線ユニットでは、筐体側にねじ留め等により固定された固定レール（図１及び図２に示す固定側レール８）と、光部品収納トレイ側にねじ留め等により固定された可動レール（図１及び図２に示す移動側レール１５）とでスライド機構が構成されている。このため、光部品収納トレイを例えば修理等のために筐体から取り外し、交換する際には、スライド機構（固定レール及び可動レール）を固定するこれらのねじ等を取り外す必要があった。したがって、光部品収納トレイの交換作業の作業性が悪かった。
【０００５】
本発明は、筐体に対してスライド可能な引き出し部を筐体から容易に取り外すことができる光配線ユニットを提供することを目的とする。
【課題を解決するための手段】
【０００６】
本発明の幾つかの実施形態は、光コネクタ接続部を備える引き出し部と、前記引き出し部を収容する筐体と、前記引き出し部を前記筐体に対してスライドさせるスライド機構とを有する光配線ユニットであって、前記引き出し部と、前記スライド機構との間に設けられる連結機構をさらに有し、前記連結機構は、前記スライド機構側に設けられ、第１ラッチ部と、第１ガイド部とを備える第１連結部と、前記引き出し部側に設けられ、前記第１ラッチ部とラッチする第２ラッチ部と、前記第１ガイド部にガイドされる第２ガイド部とを備える第２連結部とを備えることを特徴とする光配線ユニットである。
【０００７】
本発明の他の特徴については、後述する明細書及び図面の記載により明らかにする。
【発明の効果】
【０００８】
本発明の幾つかの実施形態によれば、光配線ユニットにおいて、筐体に対してスライド可能な引き出し部を筐体から容易に取り外すことができる。
【図面の簡単な説明】
【０００９】
【図１】図１は、本実施形態の連結機構６０が設けられた光配線ユニット１０の斜視図である。
【図２】図２は、筐体１１から引き出し部１２を取り外した様子を示す斜視図である。
【図３】図３は、本実施形態のスライド機構５０及び本実施形態の連結機構６０の分解斜視図である。
【図４】図４Ａ及び図４Ｂは、本実施形態のスライド機構５０及び本実施形態の連結機構６０の断面図である。
【図５】図５Ａ〜図５Ｃは、引き出し部１２の取り外し動作の様子を示す図である。
【図６】図６は、本実施形態の連結機構６０が設けられた光配線ユニット１０の製造方法のフロー図である。
【発明を実施するための形態】
【００１０】
後述する明細書及び図面の記載から、少なくとも以下の事項が明らかとなる。
【００１１】
光コネクタ接続部を備える引き出し部と、前記引き出し部を収容する筐体と、前記引き出し部を前記筐体に対してスライドさせるスライド機構とを有する光配線ユニットであって、前記引き出し部と、前記スライド機構との間に設けられる連結機構をさらに有し、前記連結機構は、前記スライド機構側に設けられ、第１ラッチ部と、第１ガイド部とを備える第１連結部と、前記引き出し部側に設けられ、前記第１ラッチ部とラッチする第２ラッチ部と、前記第１ガイド部にガイドされる第２ガイド部とを備える第２連結部とを備えることを特徴とする光配線ユニットが明らかとなる。このような光配線ユニットによれば、光配線ユニットにおいて、筐体に対してスライド可能な引き出し部を筐体から容易に取り外すことができる。
【００１２】
前記第１ラッチ部は、ラッチ孔部を備え、前記第２ラッチ部は、前記ラッチ孔に係止するラッチ突起部を備えることが望ましい。これにより、第１連結部に対する第２連結部の移動を規制することができる。
【００１３】
前記第２ラッチ部は、前記ラッチ孔に対する前記ラッチ突起部の係止を解除するラッチ解除爪を備えることが望ましい。これにより、第１連結部に対する第２連結部の移動の規制を解除することができる。
【００１４】
前記第１ガイド部は、ガイド溝部を備え、前記第２ガイド部は、前記ガイド溝に嵌合するガイドプレート部を備えることが望ましい。これにより、第１連結部に対する第２連結部の移動方向を引き出し方向又は押し込み方向に規制することができる。
【００１５】
前記ガイドプレート部の端部は、テーパ状に形成されていることが望ましい。これにより、第１連結部に対する第２連結部の取り付けを容易にすることができる。
【００１６】
前記第１連結部は、移動規制部を備え、前記第２連結部は、移動規制部に係止される移動規制突起を備えることが望ましい。これにより、第１連結部に対する第２連結部の移動を規制することができる。
【００１７】
光コネクタ接続部を備える引き出し部と、前記引き出し部を収容する筐体と、前記引き出し部を前記筐体に対してスライドさせるスライド機構とを有する光配線ユニットの製造方法であって、
前記引き出し部と、前記スライド機構との間に設けられる連結機構であって、第１ラッチ部と、第１ガイド部とを備える第１連結部と、前記第１ラッチ部とラッチする第２ラッチ部と、前記第１ガイド部にガイドされる第２ガイド部とを備える第２連結部とを備える連結機構を準備すること、前記筐体に前記スライド機構を取り付けること、前記引き出し部に取り付けられた前記第２連結部を、前記スライド機構に取り付けられた前記第１連結部に対して取り付けることで、前記引き出し部を前記スライド機構に取り付けることを特徴とする光配線ユニットの製造方法が明らかとなる。このような光配線ユニットの製造方法によれば、筐体に対してスライド可能な引き出し部を有する光配線ユニットを容易に製造することができる。
【００１８】
前記第１ラッチ部は、ラッチ孔部を備え、前記第２ラッチ部は、ラッチ突起部を備え、前記ラッチ突起部が、前記ラッチ孔に係止することで、前記第２ラッチが前記第１ラッチ部に対してラッチすることが望ましい。これにより、第１連結部に対する第２連結部の移動を規制することができる。
【００１９】
＝＝＝本実施形態＝＝＝
＜光配線ユニット１０の全体構成＞
図１は、本実施形態の連結機構６０が設けられた光配線ユニット１０の斜視図である。
【００２０】
以下の説明では、図に示すように各方向を定義する。すなわち、光配線ユニット１０の筐体１１に対して引き出し部１２を移動（引き出し又は押込み）させる方向を「前後方向」とし、引き出し部１２を引き出す側を「前」とし、逆側（引き出し部１２を押し込む側）を「後」とする。なお、前後方向のことを「引き出し方向」又は「押し込み方向」と呼ぶことがある。また、引き出し部１２において複数の光コネクタアダプタ１６（以下、単に「光アダプタ１６」と呼ぶことがある）が配列される方向を「上下方向」とし、引き出し部１２において光ファイバケーブル保持具２０が設けられる側を「下」とし、逆側を「上」とする。また、前後方向及び上下方向に垂直な方向を「左右方向」とし、前から後を見た時の右側を「右」とし、逆側を「左」とする。なお、左右方向は、複数の引き出し部１２が配列される方向でもある。
【００２１】
光配線ユニット１０は、複数心を有する基幹光ファイバケーブルを単心毎の光ファイバケーブルに分岐すると共に、分岐された単心の各光ファイバケーブルの端部がコネクタ接続可能に成端された装置である。光配線ユニット１０は、光接続箱と呼ぶことがある。さらに、光配線ユニット１０は、光成端箱又は光配線箱と呼ぶこともある。図１に示すように、本実施形態では、光配線ユニット１０の後部に設けられた分岐部２により、複数心を有する基幹光ファイバケーブル１が単心毎の内部側光ファイバケーブル３に分岐されている。さらに、分岐された内部側光ファイバケーブル３の束は、光配線ユニット１０の筐体１１の内部に導入され、筐体１１の内部において各内部側光ファイバケーブル３の端部が光アダプタ１６にそれぞれ接続されている（不図示）。なお、各内部側光ファイバケーブル３の端部には、内部側光コネクタプラグ４（以下、単に「内部側光プラグ４」と呼ぶことがある）が設けられており、各内部側光プラグ４が光アダプタ１６に接続されている。そして、内部側光プラグ４が接続された光アダプタ１６に対して、筐体１１の外部側から作業側光コネクタプラグ５（以下、単に「作業側光プラグ５」と呼ぶことがある）が挿抜されることにより、内部側光ファイバケーブル３と作業側光ファイバケーブル６との接続を切り替え可能にすることができる。図１に示すように、作業側光ファイバケーブル６の束は光配線ユニット１０の下方に引き回されている。
【００２２】
光配線ユニット１０は、筐体１１と、複数の引き出し部１２と、スライド機構５０とを有する。
【００２３】
筐体１１は、複数の引き出し部１２及びスライド機構５０を収容する部材である。また、筐体１１は、不図示のラックに取り付けられることで、光配線ユニット１０を固定する部材でもある。筐体１１の前側の面が設けられず開口していることにより、後述する引き出し部１２を筐体１１に対して前側に引き出すことができる。なお、複数の引き出し部１２が全て押込み状態（後述）の際に、筐体１１の前側の面を覆うように不図示の蓋部材が設けられてもよい。
【００２４】
引き出し部１２は、複数（ここでは６個）の光アダプタ１６（後述）を保持する部材である。図１に示すように、引き出し部１２は左右方向に垂直な板状に形成されている。引き出し部１２は、光アダプタ１６を有しており、引き出し部１２の前側に複数の光アダプタ１６が配列されている。本実施形態の光配線ユニット１０では、１２個の引き出し部１２が左右方向に配列されている。但し、本実施形態の光配線ユニット１０における引き出し部１２の配列方向や数はこの限りではない。なお、引き出し部１２の上下の両端にはスライド機構５０がそれぞれ設けられている。これにより、引き出し部１２は、筐体１１に対して移動（引き出し又は押込み）することが可能である。
【００２５】
図１では、光配線ユニット１０が有する複数の引き出し部１２のうち、左から２番目の引き出し部１２が引き出されている。このように、引き出し部１２が引き出された状態を「引き出し状態」と呼ぶことがある。また、図１に示すように、光配線ユニット１０が有する複数の引き出し部１２のうち、左から２番目の引き出し部１２以外の引き出し部１２は引き出されていない。このように、引き出し部１２が引き出されていない状態を「初期状態」又は「押込み状態」と呼ぶことがある。引き出し状態となっている引き出し部１２では、光アダプタ１６（後述）が他の引き出し部１２の光アダプタ１６よりも前側に引き出されているので、作業者は、光アダプタ１６に対する作業側光プラグ５の挿抜作業を容易に行うことができる。そして、引き出し状態となっている引き出し部１２を押し込むと、再び初期状態（又は押込み状態）となる。
【００２６】
光アダプタ１６は、光配線ユニット１０の内外の光ファイバケーブルをコネクタ接続可能にする部材である。図１に示すように、本実施形態では、光アダプタ１６を介して内部側光プラグ４と作業側光プラグ５とが接続されることにより、筐体１１内の内部側光ファイバケーブル３と筐体１１外の作業側光ファイバケーブル６とがコネクタ接続されている。なお、光アダプタ１６のことを「光コネクタ接続部１６」と呼ぶことがある。図１に示すように、本実施形態の光配線ユニット１０における引き出し部１２は複数（ここでは６個）の光アダプタ１６を有する。そして、光アダプタ１６は４心タイプの光アダプタである。このため、引き出し部１２は上下方向に計２４個の作業側光プラグ５（又は内部側光プラグ４）の接続口を有する。但し、光アダプタ１６や接続口の配列方向や数はこの限りではない。
【００２７】
スライド機構５０は、引き出し部１２を前後方向に移動可能にする部材である。スライド機構５０の固定側レールが筐体１１に取り付けられ、スライド機構５０の可動側レールが引き出し部１２に取り付けられている。可動側レールが固定側レールに対して前後方向に移動することで、引き出し部１２が筐体１１に対して前後方向に移動することができる。なお、スライド機構５０は、引き出し部１２の上下に一対ずつ設けられている。
【００２８】
本実施形態では、光配線ユニット１０は、光ファイバケーブル保持具２０と、配線識別ユニット４０と、連結機構６０と、ケーブル導入部８０とをさらに有する。
【００２９】
光ファイバケーブル保持具２０は、複数の光ファイバケーブルを束ねて保持する部材である。図１に示すように、本実施形態の光ファイバケーブル保持具２０は、引き出し部１２の下部に取り付けられている。そして、引き出し部１２の光アダプタ１６に接続され、下方に垂れ下がった複数の作業側光ファイバケーブル６を束ねて保持している。前述したように、引き出し部１２は上下方向に計２４個の作業側光プラグ５の接続口を有しているため、光ファイバケーブル保持具２０は、最大で２４本の作業側光ファイバケーブル６を束ねて保持することができる。但し、光ファイバケーブル保持具２０が保持できる作業側光ファイバケーブル６の数はこの限りではない。また、例えば光ファイバケーブル保持具２０が筐体１１の内部に取り付けられることにより、複数の内部側光ファイバケーブル３を束ねて保持してもよい。さらに、光ファイバケーブル保持具２０は、作業側光ファイバケーブル６や内部側光ファイバケーブル３以外の複数の光ファイバケーブルを束ねて保持してもよい。
【００３０】
配線識別ユニット４０は、光ファイバケーブルの束を識別する部材である。図１に示すように、本実施形態の配線識別ユニット４０は、筐体１１の内部に設けられた固定部材１３に取り付けられている。そして、引き出し部１２の光アダプタ１６に接続された複数の内部側光ファイバケーブル３を束ねて保持している。但し、図１では、配線識別ユニット４０が複数の内部側光ファイバケーブル３を束ねて保持する様子の図示を省略している。また、配線識別ユニット４０の識別部４２に設けられた識別マーク４４により、引き出し部１２毎に内部側光ファイバケーブル３の束を識別することができる。なお、前述したように、引き出し部１２は上下方向に計２４個の内部側光プラグ４の接続口を有しているため、配線識別ユニット４０は、最大で２４本の内部側光ファイバケーブル３を束ねて保持することができる。但し、配線識別ユニット４０が保持できる内部側光ファイバケーブル３の数はこの限りではない。また、例えば配線識別ユニット４０が筐体１１の外部に取り付けられることにより、複数の作業側光ファイバケーブル６を束ねて保持してもよい。さらに、配線識別ユニット４０は、作業側光ファイバケーブル６や内部側光ファイバケーブル３以外の複数の光ファイバケーブルを束ねて保持してもよい。
【００３１】
連結機構６０は、光配線ユニットの引き出し部を光配線ユニットの筐体に対して取り外し可能にする部材である。図１に示すように、本実施形態の連結機構６０は、引き出し部１２とスライド機構５０との間に設けられている。また、連結機構６０は、引き出し部１２の上下に一対ずつ設けられている。
【００３２】
ケーブル導入部８０は、光ファイバケーブルを光配線ユニットの筐体内に導入する部材である。図１に示すように、本実施形態のケーブル導入部８０は、筐体１１の後部に設けられている。また、ケーブル導入部８０には、分岐部２が取り付けられている。分岐部２により複数心を有する基幹光ファイバケーブル１が単心毎の内部側光ファイバケーブル３に分岐され、内部側光ファイバケーブル３の束は、ケーブル導入部８０に設けられた導入開口部８１から筐体１１の内部に導入されている。
【００３３】
＜スライド機構５０及び連結機構６０＞
図２は、筐体１１から引き出し部１２を取り外した様子を示す斜視図である。図３は、本実施形態のスライド機構５０及び本実施形態の連結機構６０の分解斜視図である。図４Ａ及び図４Ｂは、本実施形態のスライド機構５０及び本実施形態の連結機構６０の断面図である。
【００３４】
図２では、光配線ユニット１０の筐体１１に収容された１２個の引き出し部１２のうち、左から６番目の引き出し部１２のみ筐体１１に収容された様子を示し、それ以外の引き出し部１２を筐体１１から取り外した様子を示している。また、図２の破線部分に示すように、筐体１１内部の様子を図示するために、筐体１１の壁面の一部の図示を省略している。また、図３〜図４Ｂは、引き出し部１２の上下に一対ずつ設けられたスライド機構５０及び連結機構６０のうち、引き出し部１２の下側に設けられたスライド機構５０及び連結機構６０のみ図示しており、引き出し部１２の上側に設けられたスライド機構５０及び連結機構６０の図示を省略している。
【００３５】
なお、以下の説明では、本実施形態の連結機構６０について説明する前に、まず、引き出し部１２を前後方向に移動可能にするスライド機構５０の構成について説明する。前述したように、スライド機構５０は、引き出し部１２を前後方向に移動可能にする部材である。スライド機構５０は、固定側スライドレール５１と、中間レール５２と、可動側スライドレール５３とを有する（図３参照）。本実施形態のスライド機構５０は、固定側スライドレール５１に対して中間レール５２がスライド可能に設けられ、さらにこの中間レール５２に対して可動側スライドレール５３がスライド可能に設けられている。このように、本実施形態のスライド機構５０は、３本のレールによって構成される、いわゆるダブルスライドレールである。但し、スライド機構５０は、ダブルスライドレールに限られず、固定側スライドレール５１に対して可動側スライドレール５３がスライド可能に設けられていれば良い。すなわち、スライド機構５０が中間レール５２を有さず、２本のレールによって構成される、いわゆるシングルスライドレールであってもよい。
【００３６】
固定側スライドレール５１は、筐体１１に固定されるレール部材である。中間レール５２は、固定側スライドレール５１と可動側スライドレール５３との間に配置されるレール部材である。可動側スライドレール５３は、連結機構６０のスライド側連結部６１（後述）に固定されるレール部材である。
【００３７】
次に、連結機構６０の構成について説明する。前述したように、連結機構６０は、光配線ユニットの引き出し部を光配線ユニットの筐体に対して取り外し可能にする部材である。連結機構６０は、引き出し部１２とスライド機構５０との間に設けられている。また、連結機構６０は、引き出し部１２の上下に一対ずつ設けられている。本実施形態では、連結機構６０が上側部分（後述する引き出し側連結部６２）と下側部分（後述するスライド側連結部６１）に分離することで、光配線ユニット１０において、筐体１１に対してスライド可能な引き出し部１２を筐体１１から容易に取り外すことができる。
【００３８】
連結機構６０は、スライド側連結部６１（以下、「第１連結部」と呼ぶことがある）と、引き出し側連結部６２（以下、「第２連結部」と呼ぶことがある）とを有する。
【００３９】
スライド側連結部６１は、スライド機構５０に固定される連結部材である。スライド側連結部６１は、ラッチ孔部６３（以下、「第１ラッチ部）」と呼ぶことがある）と、ガイド溝部６４（以下、「第１ガイド部）」と呼ぶことがある）と、左右一対の移動規制部６５とを有する。
【００４０】
ラッチ孔部６３は、後述する引き出し側連結部６２のラッチ突起部６６がラッチする部位である。ラッチ孔部６３は、スライド側連結部６１の前側に設けられている。ラッチ孔部６３に対して引き出し側連結部６２のラッチ突起部６６がラッチすることにより、スライド側連結部６１に対して引き出し側連結部６２が前側に移動することが規制される。すなわち、引き出し側連結部６２が固定される引き出し部１２が引き出し方向に移動することが規制される。
【００４１】
ガイド溝部６４は、後述する引き出し側連結部６２のガイドプレート部６８をガイドする部位である。ガイド溝部６４は、スライド側連結部６１の前後方向に延在する溝状に形成された部位である。ガイド溝部６４に対して引き出し側連結部６２のガイドプレート部６８がガイドされることにより、引き出し側連結部６２が固定される引き出し部１２の移動方向が引き出し方向又は押し込み方向（前後方向）のみに規制される。図４Ｂに示すように、ガイド溝部６４にガイドプレート部６８が嵌合することにより、引き出し側連結部６２が固定される引き出し部１２の移動方向が引き出し方向又は押し込み方向（前後方向）のみに規制される。すなわち、ガイド溝部６４の左右の側面にガイドプレート部６８の左右の側面が当接することにより、ガイドプレート部６８（引き出し側連結部６２）の左右方向の移動が規制される。また、ガイド溝部６４の底面にガイドプレート部６８の底面が当接することにより、ガイドプレート部６８（引き出し側連結部６２）の下方向の移動が規制される。なお、前述したように、図４Ｂは、引き出し部１２の下側に設けられた連結機構６０を図示しているが、引き出し部１２の上側に設けられた連結機構６０において、ガイド溝部６４の底面にガイドプレート部６８の底面が当接することにより、ガイドプレート部６８（引き出し側連結部６２）の上方向の移動が規制される。
【００４２】
移動規制部６５は、引き出し側連結部６２がスライド側連結部６１に対して後方に移動することを規制する部位である（移動規制部６５については、図３を参照）。移動規制部６５は、ガイド溝部６４の前側の端部に設けられている。移動規制部６５は、左右一対ずつ設けられている。また、移動規制部６５に対して引き出し側連結部６２の一対の移動規制突起６９が係止することにより、スライド側連結部６１に対して引き出し側連結部６２が後側に移動することが規制される。
【００４３】
引き出し側連結部６２は、引き出し部１２に固定される連結部材である。引き出し側連結部６２は、ラッチ突起部６６（以下、「第２ラッチ部）」と呼ぶことがある）と、ラッチ解除爪６７と、ガイドプレート部６８（以下、「第２ガイド部）」と呼ぶことがある）と、左右一対の移動規制突起６９とを有する。
【００４４】
ラッチ突起部６６は、スライド側連結部６１のラッチ孔部６３にラッチする部位である。ラッチ突起部６６は、引き出し側連結部６２の前側に設けられている。ラッチ突起部６６がスライド側連結部６１のラッチ孔部６３にラッチすることにより、引き出し側連結部６２がスライド側連結部６１に対して前側に移動することが規制される。すなわち、引き出し側連結部６２が固定される引き出し部１２が引き出し方向に移動することが規制される。
【００４５】
ラッチ解除爪６７は、スライド側連結部６１のラッチ孔部６３と、引き出し側連結部６２のラッチ突起部６６とのラッチを解除するための部位である。ラッチ解除爪６７は、ラッチ突起部６６と一体的に形成されている。このため、ラッチ解除爪６７が上部に移動することにより、一体的に形成されたラッチ突起部６６も上部に移動し、ラッチ突起部６６のラッチ孔部６３に対するラッチが外れる。これにより、スライド側連結部６１のラッチ孔部６３と、引き出し側連結部６２のラッチ突起部６６とのラッチを解除することができる。
【００４６】
ガイドプレート部６８は、スライド側連結部６１のガイド溝部６４にガイドされる部位である。ガイドプレート部６８は、ラッチ突起部６６及びラッチ解除爪６７の後方に設けられた部位であり、ラッチ突起部６６及びラッチ解除爪６７と一体的に形成されている。図４Ｂに示すように、ガイドプレート部６８がガイド溝部６４に嵌合することにより、引き出し側連結部６２が固定される引き出し部１２の移動方向が引き出し方向又は押し込み方向（前後方向）のみに規制される。
【００４７】
移動規制突起６９は、スライド側連結部６１の移動規制部６５に係止される部位である（移動規制突起６９については、図３を参照）。移動規制突起６９は、左右一対ずつ設けられており、一対の移動規制突起６９が移動規制部６５に対して係止することにより、スライド側連結部６１に対して引き出し側連結部６２が後側に移動することが規制される。
【００４８】
なお、本実施形態の引き出し側連結部６２は、テーパ部（側面テーパ部７０及び底面テーパ部７１）が設けられている。これにより、引き出し側連結部６２をスライド側連結部６１に対して取り付ける際に、引き出し側連結部６２の端部を容易に挿入することができる。
【００４９】
なお、本実施形態の連結機構６０では、スライド側連結部６１と、引き出し側連結部６２とが上下逆に設けられていてもよい。すなわち、第１連結部として引き出し側連結部６２の構成を備え、第２連結部としてスライド側連結部６１の構成を備えていてもよい。
【００５０】
＜引き出し部１２の取り外し方法＞
図５Ａ〜図５Ｃは、引き出し部１２の取り外し動作の様子を示す図である。
【００５１】
図５Ａは、引き出し部１２が、筐体１１に対して押込み状態となっている様子を図示している。なお、図５Ａ〜図５Ｃにおいて、筐体１１、スライド機構５０、連結機構６０及び引き出し部１２の間の境界線を破線で示している。また、スライド機構５０について、固定側スライドレール５１及び可動側スライドレール５３のみ図示し、両者のスライド部分の線を実線で示している。また、連結機構６０について、スライド側連結部６１及び引き出し側連結部６２の分離部分の線を実線で示している。したがって、破線で示した線は固定された境界を示し、実線で示した線はスライド又は分離する境界を示している。
【００５２】
図５Ｂに示すように、引き出し部１２を筐体１１から取り外す際、作業者は、まずスライド機構５０をスライドさせる。すなわち筐体１１に固定された固定側スライドレール５１に対して可動側スライドレール５３をスライドさせることにより、可動側スライドレール５３に固定された筐体１１及び連結機構６０が前側に移動する。
【００５３】
次に、作業者は、連結機構６０のスライド側連結部６１と引き出し側連結部６２とを分離させる。具体的には、図５Ｂの右側の図に示すように、ラッチ解除爪６７を上側（引き出し部１２側）に引き上げ、ラッチ解除爪６７と一体的に形成されたラッチ突起部６６がラッチ孔部６３に対して上部に移動することにより、ラッチ突起部６６のラッチ孔部６３に対するラッチが解除される。そうすると、スライド側連結部６１と引き出し側連結部６２とが分離可能となることで、引き出し側連結部６２に固定された引き出し部１２は、スライド側連結部６１に対して前後方向に移動することが可能となる。
【００５４】
本実施形態では、図５Ｂの矢印に示すように、スライド側連結部６１を後方に移動させることで、引き出し側連結部６２に固定された引き出し部１２をスライド側連結部６１に対して相対的に前側に移動させることができる。図５Ｃに示すように、スライド側連結部６１と可動側スライドレール５３とは、スライド機構５０のスライド方向に従って後方に移動することになる。なお、スライド側連結部６１と可動側スライドレール５３とは、連結機構６０のガイド方向に従って後方に移動することになる。したがって、引き出し側連結部６２に固定された引き出し部１２をスライド側連結部６１に対してさらに前側に移動させる必要がない。これにより、引き出し部１２の取り外し作業のスペースを抑制することができる。
【００５５】
＜連結機構６０が設けられた光配線ユニット１０の製造方法＞
図６は、本実施形態の連結機構６０が設けられた光配線ユニット１０の製造方法のフロー図である。以下の説明では、光配線ユニット１０の製造方法のうち、前述した光配線ユニット１０の構成の組み立て手順を示す。
【００５６】
まず、作業者は、光配線ユニット１０の筐体１１に対して、スライド機構５０を取り付ける（Ｓ００１）。この際、スライド機構５０のうち、固定側スライドレール５１部分を筐体１１にねじ留め等により固定する。次に、作業者は、筐体１１に対して取り付けたスライド機構５０の可動側スライドレール５３に、連結機構６０のスライド側連結部６１を取り付ける（Ｓ００２）。この際、連結機構６０のスライド側連結部６１と引き出し側連結部６２とはあらかじめ分離させた状態にしておき、スライド側連結部６１を可動側スライドレール５３にねじ留め等により固定する。一方、引き出し部１２の側には、連結機構６０の引き出し側連結部６２を取り付ける（Ｓ００３）。この際、引き出し側連結部６２を引き出し部１２にねじ留め等により固定する。
【００５７】
次に、作業者は、引き出し側連結部６２を取り付けた引き出し部１２を、スライド側連結部６１を取り付けた可動側スライドレール５３に挿入することで、引き出し部１２をスライド機構５０に取り付ける（Ｓ００４）。この際、引き出し側連結部６２のガイドプレート部６８がスライド側連結部６１のガイド溝部６４にガイドされることで、容易に引き出し部１２をスライド機構５０に取り付けることができる。また、作業者は、引き出し側連結部６２のラッチ突起部６６を、スライド側連結部６１のラッチ孔部６３にラッチさせる。これにより、引き出し部１２が、スライド機構５０に対して固定されることになる。
【００５８】
前述したように、引き出し側連結部６２を取り付けた引き出し部１２を、スライド側連結部６１を取り付けた可動側スライドレール５３に挿入するだけで、引き出し部１２をスライド機構５０に取り付けることができる。仮に、引き出し部１２をスライド機構５０に直接取り付ける場合、スライド機構５０に対して固定するために、引き出し部１２をスライド機構５０に対してねじ留め等により取り付ける。しかし、本実施形態では、引き出し側連結部６２を取り付けた引き出し部１２を、スライド側連結部６１を取り付けた可動側スライドレール５３に挿入し、引き出し側連結部６２のラッチ突起部６６を、スライド側連結部６１のラッチ孔部６３にラッチさせることで、引き出し部１２が、スライド機構５０に対して取り付ける。このため、ねじ留め等の作業を必要とせずに引き出し部１２をスライド機構５０に対して容易に取り付けることができる。また、本実施形態では、筐体１１に対して引き出し部１２を多数（ここでは１２個）取り付けることができる構造となっている。したがって、このように筐体１１に対して引き出し部１２を多数取り付ける必要がある場合に、ねじ留め等の作業を必要とせずに引き出し部１２をスライド機構５０に対して容易に取り付けられることは特に有利となる。
【００５９】
＝＝＝その他の実施形態＝＝＝
前述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００６０】
１  基幹光ファイバケーブル、２  分岐部、
３  内部側光ファイバケーブル、４  内部側光コネクタプラグ（内部側光プラグ）、
５  作業側光コネクタプラグ（作業側光プラグ）、６  作業側光ファイバケーブル、
１０  光配線ユニット（光接続箱）、１１  筐体、１２  引き出し部、
１６  光コネクタアダプタ（光アダプタ、光コネクタ接続部）、
２０  光ファイバケーブル保持具、４０  配線識別ユニット、
４２  識別部、４４  識別マーク、５０  スライド機構、
５１  固定側スライドレール、５２  中間レール、５３  可動側スライドレール、
６０  連結機構、６１  スライド側連結部（第１連結部）、
６２  引き出し側連結部（第２連結部）、６３  ラッチ孔部（第１ラッチ部）、
６４  ガイド溝部（第１ガイド部）、６５  移動規制部、
６６  ラッチ突起部（第２ラッチ部）、６７  ラッチ解除爪、
６８  ガイドプレート部（第２ガイド部）、６９  移動規制突起、
７０  側面テーパ部、７１  底面テーパ部、７２  孔側係止面、７３  突起側係止面、
８０  ケーブル導入部
【図１】
2019139183.tif 000003
【図２】
2019139183.tif 000004
【図３】
2019139183.tif 000005
【図４】
2019139183.tif 000006
【図５】
2019139183.tif 000007
【図６】
2019139183.tif 000008